(57)【要約】【課題】  簡便な治具を用いた簡易な方法でパネルを高所においても迅速安全に取り付けることができるパネルの取付工法とそれに用いる治具を提供する。【解決手段】  建築物の構造体の下地材１２に複数のストリンガー１４を固定し、その後このストリンガー上にパネル３０を取り付けてなるパネルの取付工法であり、  上記ストリンガーの下部裏面に下地材に固定するための固定金具１８をあらかじめ固定しておき、その後、ストリンガーを上記固定金具によって下方に配置された下地材に固定してなり、  上記ストリンガーの下方にパネルを取り付ける場合に、あらかじめパネルに端部にパネル支持体５１を備えた治具５０を装着した後、パネル３０を治具の作業棒を操作して、パネルを下降させてストリンガーの下方にパネルを嵌め込み、その後上記治具をパネルから離脱させる。【選択図】   図８
2005344462.tif 000002
【特許請求の範囲】
【請求項１】
建築物等の構造体に複数の下地材を固定した後、この下地材に複数のストリンガーを固定し、その後このストリンガー上にパネルを取り付けるパネルの取付工法であり、
上記下地材にストリンガーを固定する際に、あらかじめストリンガーの下部裏面に下地材に固定するための固定金具を固定しておき、その後上記固定金具を下降させて、下方に配置された下地材にストリンガーを固定すると共に、ストリンガーの上部を上方に配置された他の下地材に固定してなり、
さらに、上記パネルをストリンガーの下方に取り付ける際に、あらかじめパネルに請求項２記載の治具を装着した後、この治具の作業棒を操作してパネルを下降させてストリンガーの下方に固定し、その後上記治具をパネルから離脱させることによりパネルをストリンガーに取り付けることを特徴とするパネルの取付工法。
【請求項２】
上端と下端に湾曲部を構成し、パネルの上面に嵌合可能な形状としたパネル支持体を構成し、このパネル支持体を作業棒の両端あるいは一端に固定したパネルの取付工法に用いる治具。
【発明の詳細な説明】
【技術分野】
【０００１】
本発明は、立体式駐車場等の建築物の外壁を構成する外装材としてのパネルの取付工法とそれに用いる治具に関するものである。
【背景技術】
【０００２】
従来のパネルの取り付けに際して、高所にパネルを取り付ける場合には、図１４に示すように地上から組み上げた足場９８を使用していた。しかし、この工法では足場を組み上げる手間と時間がかかり非効率的である上に、足場のスペースが必要となるため狭隘な場所では作業が困難であった。
【特許文献１】特開平１１−２２９６１６号
【０００３】
このような足場による工法の欠点を克服するために、特許文献１で示すような無足場工法が提案された。この工法によれば、ゴンドラによって構造物の外周を無足場で施工しようとするものである。
この工法によれば、足場は必要としないがそれに代えてゴンドラを必要とするため、このゴンドラ及びゴンドラの設置装置や駆動装置が必要となり、大掛りなものとなっていた。
【発明の開示】
【発明が解決しようとする課題】
【０００４】
本発明は上記の点に鑑みなされたものであり、簡便な治具を用いた簡易な方法で外壁材であるパネルを高所においても迅速安全に取り付けることができるパネルの取付工法とそれに用いる治具を提供するものである。
【課題を解決するための手段】
【０００５】
本発明の要旨とするところは、建築物等の構造体に複数の下地材を固定した後、この下地材に複数のストリンガーを固定し、その後このストリンガー上にパネルを取り付けるパネルの取付工法であり、
上記下地材にストリンガーを固定する際に、あらかじめストリンガーの下部裏面に下地材に固定するための固定金具を固定しておき、その後上記固定金具を下降させて、下方に配置された下地材にストリンガーを固定すると共に、ストリンガーの上部を上方に配置された他の下地材に固定してなり、
さらに、上記パネルをストリンガーの下方に取り付ける際に、あらかじめパネルに請求項２記載の治具を装着した後、この治具の作業棒を操作してパネルを下降させてストリンガーの下方に固定し、その後上記治具をパネルから離脱させることによりパネルをストリンガーに取り付けることを特徴とするパネルの取付工法にある。
【０００６】
また本発明の要旨とするところは、上端と下端に湾曲部を構成し、パネルの上面に嵌合可能な形状としたパネル支持体を構成し、このパネル支持体を作業棒の両端あるいは一端に固定したパネルの取付工法に用いる治具にある。
【発明の効果】
【０００７】
本発明のパネルの取付工法は足場を必要としないため足場作成の時間と費用が省略でき工期の短縮、工費の節減および狭隘地での施工可能というメリットがある。さらに簡便な方法で安全にパネル取付工事を行なうことができる等の効果を奏する。
また本発明のパネルの取付工法に用いる治具は、上記パネルの取付工法を効率よく安全に行えるという効果がある。
【発明を実施するための最良の形態】
【０００８】
本発明を実施するための最良の形態は、立体式駐車場等の建築物の構造体に複数の下地材を固定した後、この下地材に交叉して複数のストリンガーを固定し、その後このストリンガー上に、外壁材としてのパネルを取り付けるパネルの取付工法であり、
上記下地材にストリンガーを固定する際に、ストリンガーの下部裏面にあらかじめ固定金具を固定しておき、その後上記ストリンガーを建築物の外部に出し、上記固定金具を下方に配置された下地材の側面に固定し、その後、ストリンガーの上部を上方に配置された他の下地材に固定してなり、
さらに、上記パネルをストリンガーの下方に取り付ける際に、あらかじめパネルに所定の治具を装着した後、治具の作業棒を操作してパネルを建築物の外部に出して下降させストリンガーの下方にパネルを嵌め込んで固定し、その後、上記治具をパネルから離脱させることによりパネルをストリンガーに取り付けるパネルの取付工法と、
作業棒の両端あるいは一端にパネル支持体を構成してなり、このパネル支持体を上側と下側に湾曲部を構成した方形となし、かつパネルの上面に嵌合可能な形状としたパネルの取付工法に用いる治具である。
【実施例１】
【０００９】
図１乃至図１３は本発明のパネルの取付工法とそれに用いる治具の実施例を示すものである。
【００１０】
本実施例のパネルの取付工法は、立体駐車場等の建築物の柱体９１あるいは梁９３に固定された垂直の構造体１０に下地材１２を水平に固定し、この下地材１２にストリンガー１４を直交して固定する。その後、このストリンガー１４上に、外壁材としてのパネル３０を水平に取り付ける工法である。以下図に基づいて詳細に説明する。
【００１１】
まず図１に示すように、建築物の構造体１０にストリンガー１４を取り付けるための複数の下地材１２を水平に固定する。
【００１２】
次いで、図２に示すように、複数のストリンガー１４を、ビスピッチに従って専用のビス１６で下地材１２へ直交して固定する。この場合、図８に示すように、複数のストリンガー１４を一定間隔で平行に固定するため、各々のストリンガー１４の山部１５の位置（図６参照）が同じ高さに揃うようにする。
【００１３】
また、上記のストリンガー１４の固定において、図３に示すように、建築物の梁９３の下方の下地材１２などにストリンガー１４を固定する場合は、建築物の内側にいる作業員の手が届かずビス１６で留めることができない。そのため、このような箇所でのストリンガー１４の固定には、固定金具であるＺ金具１８を用いる。
【００１４】
上記Ｚ金具１８は図４に示すもので、所定の長さの金属板の両端を上方と下方に直角に折曲して、ストリンガー１４へ固定する上端部１８１と、この上端部１８１に連接して下地材の表面に位置する中央部１８２、及びこの中央部１８２に連接して下地材１２の側面に密着して下地材１２を押える下端部１８３からなる。
【００１５】
上記Ｚ金具１８を使用した施工に際しては、建築物内部など安全に作業できる場所で、あらかじめビス２０によってストリンガー１４の裏面にＺ金具１８の上端部１８１を固定しておく。
その後、梁９３下方に固定された下地材１２の側面をＺ金具１８の下端部１８３で密着させ挟み込むようにして固定させる。その後、ストリンガー１４の上部を、上方に固定してある他の下地材１２に上述のようにビス１６で留めてストリンガー１４を固定する。
【００１６】
次の工程は、上記のようにして固定された複数のストリンガー１４にパネル３０を嵌め込んで取り付けていく工程である。
パネル３０は所定の長さを有する長尺体であり、長さ方向の両端部が内側に湾曲した湾曲部３１、３２を構成してある。また、パネル３０の材質は任意であり適宜選択できる。
【００１７】
図５および図６に基づいて、このパネル３０のストリンガー１４への取付作業を説明する。まず、パネル３０の取付位置が比較的上方であり、作業員が建築物内部から手を伸ばして施工できる場合を説明する。
２名の作業員（図示せず）がパネル３０の両端部を掴んで、建築物の外側に出す。その後、図６に示すように、まずパネル３０の片側の湾曲部３１をストリンガー１４の片方の山部１５に掛けて嵌め、その後パネル３０を矢印Ｂ方向に回動してパネル３０の他端の湾曲部３２をストリンガー１４の他方の山部１６に軽く押して嵌め込めばよい。
【００１８】
このパネル３０の取り付けに際し、パネル３０の取付位置が上記と異なり梁９３の下方で作業員の手が届かない場合は、作業員が手で直接パネル３０を嵌め込むことができないため、専用の治具５０を用いる。
【００１９】
図１１に治具５０の斜視図を示し、図７乃至図１０でこの治具５０を用いた取付方法を説明する。
図示のように、この治具５０は約８０ｃｍの作業棒５３の両端にパネル支持体５１を構成したものである。このパネル支持体５１は両側に湾曲部５２を構成した略正方形状であり、パネル３０の上面に密着して嵌合可能な形状である。なお、パネル支持体５１は、作業棒５３の両端に構成しても良く一方だけに構成しても良い。パネル支持体５１の形状は本実施例に限定されず、同様の作用効果が生じるものであれば他の形状を選択できる。
【００２０】
施工に際しては、あらかじめ建築物内部でパネル３０に作業員６０の人数分の治具５０を取り付ける。このとき、パネル支持体５１の湾曲部５２、５２がパネル３０の両側の湾曲部３１，３２に嵌合しパネル３０上面に密着してパネル３０は治具５０に確実に支持されている。
その後、図８に示すように、作業員６０は各々治具５０の作業棒５３を持ちパネル３０を建築物の外部に出す。そして作業棒５３を操作してパネル３０を下降させて、図９に示すようにストリンガー１４の最下端の上方の山部１５に引っかけてから作業棒５３を矢印Ａ方向に倒して、パネル支持体５１をストリンガー１４の下方の山部１６に押し嵌める。
その後、図１０に示すように、作業棒５３を前方に移動させてパネル支持体５１をパネル３０から離脱させることにより、パネル３０をストリンガー１４に取り付ける。
上記の作業において、作業棒５３には安全紐５５をつけ一端の輪５６を作業員６０の手首に通し落下防止措置をとる。なお、上記のパネルの取付作業は必ずパネル１枚に対して２人以上の作業員６０で行なうものとする。
【００２１】
上記の作業を繰り返すことによって所定数のパネル３０をストリンガー１４に取り付けて建築物Ｋの外壁に外装材を施工する作業が完成する（図１２、図１３参照）。
【００２２】
上記のように本実施例のパネルの取付工法によれば、作業員６０はパネル３０の取付位置によっては治具５０を用いずに行うことができる。しかし、建築物内部から作業員６０の手が届かない場合には治具５０を使用して安全な作業が行える。
【図面の簡単な説明】
【００２３】
【図１】構造体に下地材を取り付けた状態を表す斜視図
【図２】ストリンガーの下地材への固定方法を示す斜視図
【図３】ストリンガーの下地材への固定方法を示す斜視図
【図４】ストリンガーの下地材への固定方法を示す斜視図
【図５】パネルのストリンガーへの取付方法を示す斜視図
【図６】パネルのストリンガーへの取付方法を示す側面図
【図７】ストリンガーの下方へパネルを取り付ける方法を示す斜視図
【図８】ストリンガーの下方へパネルを取り付ける方法を示す正面図
【図９】ストリンガーの下方へパネルを取り付ける方法を示す側面図
【図１０】ストリンガーの下方へパネルを取り付ける方法を示す側面図
【図１１】治具の斜視図
【図１２】パネルをストリンガーに取り付けた状態の斜視図
【図１３】パネルを施工した状態の建築物の一部切欠外観図
【図１４】従来例の作業を示す説明図
【符号の説明】
【００２４】
１０  構造体
１２  下地材
１４  ストリンガー
１５  山部
１６  山部
１８  Ｚ金具
３０  パネル
３１  湾曲部
３２  湾曲部
５０  治具
５１  パネル支持体
５３  作業棒
５５  安全紐
６０  作業員
９３  梁
Ｋ    建築物
【図１】
2005344462.tif 000003
【図２】
2005344462.tif 000004
【図３】
2005344462.tif 000005
【図４】
2005344462.tif 000006
【図５】
2005344462.tif 000007
【図６】
2005344462.tif 000008
【図７】
2005344462.tif 000009
【図８】
2005344462.tif 000010
【図９】
2005344462.tif 000011
【図１０】
2005344462.tif 000012
【図１１】
2005344462.tif 000013
【図１２】
2005344462.tif 000014
【図１３】
2005344462.tif 000015
【図１４】
2005344462.tif 000016